(57)【要約】【課題】ワイヤレス信号に基づく負荷制御を無効にするとともに、希望の負荷状態を設定することができるスイッチ装置を提供する。【解決手段】スイッチ装置は、操作部の操作状態に応じた操作信号を出力する操作スイッチ２７と、電波を媒体とするワイヤレス信号を受信するワイヤレス信号送受信部と、電源から照明負荷Ｌへの給電路を開閉可能なスイッチ要素と、スイッチ要素の開閉制御を行う制御部及び負荷制御部とを備え、制御部は、操作部が予め規定された規定時間Ｔｓ以上押操作される長押操作に伴う操作信号を検出した場合に、操作部が規定時間Ｔｓ未満押操作される短押操作に伴う操作信号又はワイヤレス信号に基づいてスイッチ要素の開閉制御を行う通常モードから、ワイヤレス信号に基づいてはスイッチ要素の開閉制御を行わない禁止モードに移行するとともに、スイッチ要素の開閉状態を長押操作前の状態から反転させる。【選択図】図５
2011003470.tif 000002
【特許請求の範囲】
【請求項１】
操作部の操作状態に応じた操作信号を出力する操作スイッチと、
電波又は光を媒体とするワイヤレス信号を受信する受信手段と、
電源から負荷への給電路に介装される開閉手段と、
該開閉手段の開閉制御を行う制御手段とを備え、
該制御手段は、前記操作部が予め規定された規定時間以上押操作される長押操作に伴う操作信号を検出した場合に、前記操作部が前記規定時間未満押操作される短押操作に伴う操作信号又は前記ワイヤレス信号に基づいて前記開閉手段の開閉制御を行う第１モードから、前記ワイヤレス信号に基づいては前記開閉手段の開閉制御を行わない第２モードに移行するとともに、前記開閉手段の開閉状態を前記長押操作前の状態から反転させることを特徴とするスイッチ装置。
【請求項２】
前記制御手段は、前記第１モードにおいて、前記操作部の押操作が開始された時に前記開閉手段の開閉状態を反転させ、
前記操作部が押操作される押操作時間が前記規定時間を超過した場合に、前記第１モードから前記第２モードに移行することを特徴とする請求項１に記載のスイッチ装置。
【請求項３】
前記制御手段は、前記第１モードにおいて、前記操作部の押操作が解除された時に前記開閉手段の開閉状態を反転させることを特徴とする請求項１に記載のスイッチ装置。
【請求項４】
前記制御手段が前記第２モードになっていることを通知するための通知手段をさらに備えたことを特徴とする請求項１〜請求項３のうち何れか一項に記載のスイッチ装置。
【請求項５】
前記通知手段は、前記第１モードにおいては、前記開閉手段の開閉状態に応じて、前記開閉手段が開状態である場合には第１表示状態となる一方、前記開閉手段が閉状態である場合には第２表示状態となり、
前記第２モードにおいては、前記第１表示状態及び前記第２表示状態の何れとも異なる第３表示状態となる表示手段であることを特徴とする請求項４に記載のスイッチ装置。
【発明の詳細な説明】
【技術分野】
【０００１】
本発明は、スイッチ装置に関するものである。
【背景技術】
【０００２】
従来、照明負荷などをオン／オフするためのスイッチ装置として、例えば特許文献１に記載のものが知られている。このスイッチ装置は、器体内に操作ハンドルの操作に応じて操作信号を出力する操作スイッチと、ワイヤレス信号を受信する受信手段と、電源から負荷への給電路に介装される開閉手段と、開閉手段の開閉制御を行う制御手段とを備えていた。そして、制御手段が操作ハンドルの押操作に伴って操作スイッチから出力される操作信号やワイヤレス信号に応じて開閉手段を制御することで負荷制御を行い、照明負荷としての蛍光灯などを点灯又は消灯するようになっていた。また、例えば送信機が人の存否を検知するための人感センサを備え、人の存在を検知した場合に蛍光灯を点灯させるべくワイヤレス信号を送信することで、操作ハンドルを操作することなく、照明負荷をワイヤレス制御することができるようになっていた。
【先行技術文献】
【特許文献】
【０００３】
【特許文献１】特開２００６−２５３０９２号公報
【発明の概要】
【発明が解決しようとする課題】
【０００４】
こうしたスイッチ装置においては、例えば照明負荷としての蛍光灯を交換するために消灯状態を維持したい場合にも、ワイヤレス制御によって照明負荷が点灯状態となってしまうなど、希望の負荷状態を設定できない場合があるという問題があった。
【０００５】
本発明はこうした事情に鑑みてなされたものであり、その目的は、ワイヤレス信号に基づく負荷制御を無効にするとともに、希望の負荷状態を設定することができるスイッチ装置を提供することにある。
【課題を解決するための手段】
【０００６】
以下、上記目的を達成するための手段及びその作用効果について記載する。
請求項１に記載のスイッチ装置は、操作部の操作状態に応じた操作信号を出力する操作スイッチと、電波又は光を媒体とするワイヤレス信号を受信する受信手段と、電源から負荷への給電路に介装される開閉手段と、該開閉手段の開閉制御を行う制御手段とを備え、該制御手段は、前記操作部が予め規定された規定時間以上押操作される長押操作に伴う操作信号を検出した場合に、前記操作部が前記規定時間未満押操作される短押操作に伴う操作信号又は前記ワイヤレス信号に基づいて前記開閉手段の開閉制御を行う第１モードから、前記ワイヤレス信号に基づいては前記開閉手段の開閉制御を行わない第２モードに移行するとともに、前記開閉手段の開閉状態を前記長押操作前の状態から反転させることを要旨とする。
【０００７】
この構成によれば、開閉手段の開閉制御と制御手段の第２モードへの移行とを共通の操作部を介して行うことができるので、制御手段の第２モードへの移行のために専用の操作スイッチを備える必要がなく、簡易な構成でスイッチ装置を実現することができる。そして、操作部の長押操作によって、ワイヤレス信号に基づいては開閉手段の開閉制御を行わない第２モードに移行するとともに、開閉手段の開閉状態が長押操作前の状態から反転されるので、ワイヤレス信号に基づく負荷制御を無効にするとともに、希望の負荷状態を設定することができる。
【０００８】
請求項２の発明は、前記制御手段は、前記第１モードにおいて、前記操作部の押操作が開始された時に前記開閉手段の開閉状態を反転させ、前記操作部が押操作される押操作時間が前記規定時間を超過した場合に、前記第１モードから前記第２モードに移行することを要旨とする。
【０００９】
この構成によれば、第１モードでは、制御手段が操作部の押操作が開始された時に開閉手段の開閉状態を反転させるので、開閉手段の開閉制御を速やかに行うことができる。また、押操作時間が規定時間を超過した場合に第１モードから第２モードに移行するので、操作部が長押操作されたか否かを適切に判断した上で第２モードに移行することができる。
【００１０】
請求項３の発明は、前記制御手段は、前記第１モードにおいて、前記操作部の押操作が解除された時に前記開閉手段の開閉状態を反転させることを要旨とする。
この構成によれば、制御手段は、第１モードにおいて操作部の押操作が解除された時に開閉手段の開閉状態を反転させるので、操作部が長押操作されたか否かを適切に判断した後に、開閉手段の開閉状態を反転させることができる。
【００１１】
請求項４の発明は、前記制御手段が前記第２モードになっていることを通知するための通知手段をさらに備えたことを要旨とする。
この構成によれば、通知手段により、ワイヤレス信号に基づく負荷制御が無効になっていることを通知することができる。
【００１２】
請求項５の発明は、前記通知手段は、前記第１モードにおいては、前記開閉手段の開閉状態に応じて、前記開閉手段が開状態である場合には第１表示状態となる一方、前記開閉手段が閉状態である場合には第２表示状態となり、前記第２モードにおいては、前記第１表示状態及び前記第２表示状態の何れとも異なる第３表示状態となる表示手段であることを要旨とする。
【００１３】
この構成によれば、ワイヤレス信号に基づく負荷制御が無効になっていることを表示する表示手段を、第１モードにおいては開閉状態の開閉状態を表示するために使用することができる。
【発明の効果】
【００１４】
本発明によれば、ワイヤレス信号に基づく負荷制御を無効にするとともに、希望の負荷状態を設定することができるスイッチ装置を提供することができる。
【図面の簡単な説明】
【００１５】
【図１】本実施形態におけるスイッチ装置の斜視図。
【図２】図１において、操作ハンドルを取り外した状態を示す斜視図。
【図３】本実施形態におけるスイッチ装置の電気的構成を示すブロック図。
【図４】本実施形態のスイッチ装置を用いた負荷制御システムの説明図。
【図５】（ａ）（ｂ）（ｃ）はスイッチ装置の動作を説明するためのタイミングチャート。
【発明を実施するための形態】
【００１６】
以下、本発明に係るスイッチ装置を具体化した実施形態について、図１〜図５を参照して説明する。なお、以下の説明において、「前後方向」、「左右方向」、「上下方向」をいう場合は、各図中に矢印で示した方向を基準として示すものとする。
【００１７】
図１及び図２に示すように、スイッチ装置１１は、合成樹脂材料からなる有底箱形状のボディ１２と、同じく合成樹脂材料からなり、ボディ１２の開口を覆うカバー１３とからなる器体１４を備えている。器体１４の前面側には、例えばＪＩＳ等で規格された埋込型配線機器用の金属材料からなる取付枠１５が取り付けられている。そして、スイッチ装置１１は、造営材（例えば壁面など）に対して取付枠１５を介して固定される。
【００１８】
図１に示すように、カバー１３の前面側には、合成樹脂材料からなるピアノハンドル式の操作ハンドル１６が着脱可能に取り付けられている。また、図２に示すように、カバー１３の左端側において上下方向の中央付近となる位置には軸部１７が設けられている。操作ハンドル１６は、カバー１３の軸部１７に回動自在に軸支されることにより、器体１４に対して揺動可能な状態で支持される。
【００１９】
カバー１３の右端側には係止溝１８（図２参照）が形成されている。一方、操作ハンドル１６の右端側には、係止溝１８と係止可能な係止片１６ａ（図１参照）が後方に向かって突設されている。そして、操作ハンドル１６の係止片１６ａがカバー１３の係止溝１８に係止されることにより、操作ハンドル１６の揺動範囲が規定される構成となっている。また、操作ハンドル１６の前面側には、上下方向における中央付近において右側寄りとなる位置に、操作ハンドル１６の押操作位置を示すための突起１９（図１参照）が形成されている。
【００２０】
カバー１３と操作ハンドル１６との間には、軸部１７付近に図示しない弾性部材（例えば板ばね）が配置されている。そして、操作ハンドル１６の突起１９付近が後方に向けて押操作されると、操作ハンドル１６は左端側を中心に後方に向けて回動するとともに、弾性部材が弾性変形するようになっている。したがって、押操作に伴う押圧力が解除されると、操作ハンドル１６は弾性部材の復元変形に伴って左端側を中心に前方に向けて回動し、元の位置に復帰する。
【００２１】
図１に示すように、操作ハンドル１６には、上下方向における中央付近において左側寄りとなる位置に開口窓２０が形成されている。一方、図２に示すように、カバー１３には操作ハンドル１６の開口窓２０と対応する位置に開口窓２１が設けられているとともに、開口窓２１の下方付近には開口窓２２が設けられている。
【００２２】
また、カバー１３において開口窓２１の右方には、略Ｔ字形状の操作片２３が切り抜き形成されている。操作片２３は、左右方向に延びるアーム部２３ａが前後方向に弾性変形可能となっているとともに、そのアーム部２３ａの先端側が上下方向に延びる押圧部２３ｂとなっている。
【００２３】
さらに、カバー１３において開口窓２２の右方には、上下方向に延びる操作片２４が切り抜き形成されている。操作片２４は、上下方向に延びるアーム部２４ａが前後方向に弾性変形可能となっているとともに、そのアーム部２４ａの先端部が略円筒形状の押圧部２４ｂとなっている。なお、操作片２３の押圧部２３ｂは、操作片２４の押圧部２４ｂよりも前方に突出するように形成されている。
【００２４】
操作ハンドル１６の突起１９付近が後方に向かって押操作されると、操作片２３の押圧部２３ｂが操作ハンドル１６の押圧力を受ける。これにより、アーム部２３ａが弾性変形して押圧部２３ｂが後方に変位するようになっている。一方、操作片２４は、操作ハンドル１６の押操作によっては変位せず、操作ハンドル１６をカバー１３から取り外し、押圧部２３ｂを後方に向かって押操作すると、アーム部２４ａが弾性変形するようになっている。操作片２３，２４は押操作が解除されるとアーム部２３ａ，２４ａが復元変形し、押圧部２３ｂ，２４ｂが元の位置に復帰するようになっている。
【００２５】
次に、スイッチ装置１１の電気的構成について、図３に基づいて説明する。
図３に示すように、スイッチ装置１１は、発光ダイオードからなる表示灯２５，２６、操作スイッチ２７、登録ボタン２８、マイクロコンピュータを主構成要素とする制御部３０、負荷制御部３１、受信手段としてのワイヤレス信号送受信部３２、アンテナ３３、記憶部３４及び電源部３５を備えている。なお、表示灯２５，２６、操作スイッチ２７及び登録ボタン２８等は、器体１４内に収容されたプリント基板（図示略）上に実装されている。
【００２６】
負荷制御部３１は、商用交流電源である電源ＡＣから負荷としての照明負荷Ｌへの給電路に介装されたスイッチ要素（例えばリレーや半導体スイッチング素子など）を有している。ワイヤレス信号送受信部３２は、電波法施行規則第６条第４項第２号に規定される「テレメーター用、テレコントロール用及びデータ伝送用の特定小電力無線局」に準拠して、アンテナ３３を介して電波を媒体とするワイヤレス信号を送受信する。電源部３５は、電源ＡＣから給電されて各部の動作電源を生成する。なお、本実施形態において、制御部３０及び負荷制御部３１が制御手段を構成し、スイッチ要素が開閉手段を構成している。
【００２７】
操作ハンドル１６が押操作されると、カバー１３の操作片２３が後方に変位し、押圧部２３ｂが操作スイッチ２７の操作部（図示略）を押操作するようになっている。そして、操作片２３によって押操作された操作スイッチ２７は、回路を接続しないＯＦＦ状態から回路を接続するＯＮ状態となることで、操作信号を出力する。なお、操作ハンドル１６の押操作が解除されると、操作片２３が元の位置に復帰し、操作スイッチ２７の押操作は解除される。
【００２８】
制御部３０は、第１モードとしての通常モードにおいて、操作スイッチ２７から出力された操作信号又はワイヤレス信号送受信部３２が受信したワイヤレス信号に基づいてスイッチ要素の開閉制御を行う。具体的には、制御部３０が制御信号を出力し、この制御信号に基づいて負荷制御部３１がスイッチ要素を開閉駆動させて照明負荷Ｌへの給電路を開閉する。
【００２９】
例えば、給電路が閉状態の時にワイヤレス信号送受信部３２がワイヤレス信号を受信した場合には、制御部３０が負荷制御部３１を介してスイッチ要素を開駆動させて照明負荷Ｌへの給電路を開状態とする。また、同じく給電路が閉状態の時に操作ハンドル１６が短押操作されると、操作信号に応じて制御部３０が負荷制御部３１を介してスイッチ要素を開駆動させて照明負荷Ｌへの給電路を開状態とする。
【００３０】
なお、本実施形態において短押操作とは、押操作を開始してから解除するまでの押操作時間Ｔｐが予め規定された規定時間Ｔｓ（Ｔｓ＝押操作解除時刻ｔ２−押操作開始時刻ｔ１）未満の押操作をいい、これに対して、押操作時間Ｔｐが規定時間Ｔｓ以上の押操作を長押操作ということがある。なお、規定時間Ｔｓは例えば１〜２秒とすることができるが、任意の長さに設定することが可能である。
【００３１】
そして、給電路が開状態となって電源ＡＣから照明負荷Ｌへ給電されると、照明負荷Ｌが点灯（ＯＮ）される。一方、給電路が開状態の時に操作ハンドル１６が短押操作されると、制御部３０が照明負荷Ｌを消灯するべく制御信号を送信して、負荷制御部３１がスイッチ要素を閉駆動させて照明負荷Ｌへの給電路を閉状態とする。また、ワイヤレス信号送受信部３２がワイヤレス信号を受信した場合には、スイッチ要素を開駆動させて照明負荷Ｌを点灯させた後、所定時間経過後に給電路が閉状態とすることができる。そして、照明負荷Ｌへの給電路を閉状態とすると、照明負荷Ｌは消灯（ＯＦＦ）される。
【００３２】
また、制御部３０は、照明負荷Ｌの点灯時には、表示灯２５を第１表示状態としての消灯状態（ＯＦＦ）とする一方、照明負荷Ｌの消灯時には表示灯２５を第２表示状態としての点灯状態（ＯＮ）とする。ここで、表示灯２５はカバー１３の開口窓２１及び操作ハンドル１６の開口窓２０と対応する位置に設けられている。そのため、照明負荷Ｌの消灯時には、点灯された表示灯２５の光が開口窓２０，２１を通じて前方に照射される。
【００３３】
すなわち、表示灯２５はスイッチ要素の開閉状態に応じて、スイッチ要素が開状態であることを消灯状態によって表示する一方、スイッチ要素が閉状態であることを点灯状態によって表示する。また、表示灯２５の点灯により、照明負荷Ｌの消灯時に操作ハンドル１６の位置を表示するようになっている。
【００３４】
さらに、本実施形態のスイッチ装置１１は、通常モードにおいて操作ハンドル１６が規定時間Ｔｓ以上長押操作されると、制御部３０が短押操作に伴う操作信号又はワイヤレス信号に基づいてスイッチ要素の開閉制御を行う通常モードから、ワイヤレス信号に基づいてはスイッチ要素の開閉制御を行わない第２モードとしての禁止モードに移行するとともに、スイッチ要素の開閉状態を長押操作前の状態から反転させるようになっている。したがって、照明負荷Ｌの消灯時に操作ハンドル１６が長押操作されると照明負荷Ｌが点灯され、照明負荷Ｌの点灯時に操作ハンドル１６が長押操作されると照明負荷Ｌが消灯される。
【００３５】
なお、本実施形態において、制御部３０の禁止モードは、操作ハンドル１６の短押操作によって解除されて通常モードに移行するようになっているが、操作ハンドル１６の長押操作によって通常モードに移行するようにしてもよい。
【００３６】
このような禁止モードにおいて、制御部３０は表示灯２５の点灯と消灯を一定周期で切り替え、表示灯２５を第１表示状態及び第２表示状態の何れとも異なる第３表示状態としての点滅状態とする。すなわち、表示灯２５は制御手段が禁止モードになっていることを表示するための表示手段を構成し、長押操作時には、ワイヤレス信号に応じたスイッチ要素の開閉制御が無効になっていることを点滅状態によって表示する。
【００３７】
本実施形態のスイッチ装置１１は、図４に示すように、送信手段から送信されるワイヤレス信号に応じて照明負荷Ｌを点灯又は消灯させることで、負荷制御システムを構成可能となっている。送信手段は、例えば火災を感知して警報を発する火災報知器５０Ａ，５０Ｂ，５０Ｃ、照明負荷Ｌを遠隔操作するための操作端末機５１、あるいはインターホン子機５２との間でインターホンシステムを構成するインターホン親機５３等として具体化される。
【００３８】
スイッチ装置１１においては、ＩＤ番号を割り当てて送信手段を登録することで、ワイヤレス信号送受信部３２で受信すべきワイヤレス信号を特定する。なお、新たな送信手段を登録する際には、操作ハンドル１６をカバー１３から取り外して操作片２４の押圧部２４ｂを所定時間以上（例えば２秒以上）長押操作する。すると、後方に変位した操作片２４が登録ボタン２８の操作部を押操作する。
【００３９】
登録ボタン２８が押操作されると、制御部３０の動作モードが登録モードに移行するとともに、表示灯２６が点灯される。ここで、表示灯２６はカバー１３の開口窓２２と対応する位置に設けられているので、表示灯２６が点灯されると、開口窓２２を通じて表示灯２６の光が前方に照射され、制御部３０が登録モードに移行したことが表示される。なお、操作片２４は押操作が解除されると元の位置に復帰し、登録ボタン２８の押操作も解除される。
【００４０】
その後、登録すべき送信手段から送信されたワイヤレス信号をワイヤレス信号送受信部３２が受信すると、制御部３０はこのワイヤレス信号に含まれるＩＤ番号を自己に割り当てられた送信手段として記憶部３４に記憶させる。また、送信手段の登録が完了すると、再度操作片２４を押操作することで、表示灯２６が消灯されるとともに、制御部３０が登録モードから元の動作モード（例えば通常モード）に移行する構成となっている。
【００４１】
次に、スイッチ装置１１が人の存否を検知するための人感センサを備えた操作端末機５１と負荷制御システムを構成している場合の動作について説明する。
この場合、操作端末機５１は人感センサの検知エリア内における人の存在を検知した場合にワイヤレス信号を発信し、このワイヤレス信号をワイヤレス信号送受信部３２が受信すると、制御部３０が負荷制御部３１を介してスイッチ要素をオン駆動させることで照明負荷Ｌが点灯される。したがって、例えばスイッチ装置１１及び照明負荷Ｌとしての蛍光灯を部屋の中央付近に配置するとともに、部屋の入口付近に人感センサの検知エリアを設定しておくことで、人が部屋の中に入る際に、ワイヤレス制御によって蛍光灯を点灯させることができる。また、スイッチ装置１１の操作ハンドル１６を短押操作することによっても、操作スイッチ２７が出力する操作信号に基づいて蛍光灯を消灯又は点灯させることができる。
【００４２】
このように、短押操作に伴う操作信号に加えてワイヤレス信号によっても照明負荷Ｌの負荷制御が可能な通常モードにおいては、例えば蛍光灯を交換するために給電路を閉状態に保持しておきたいにもかかわらず、検知エリアで他人の存在が検知されてワイヤレス信号が送信され、給電路が開状態となってしまうことがある。
【００４３】
その点、本実施形態においては、スイッチ装置１１の操作ハンドル１６を長押操作することで、制御部３０が禁止モードに移行してワイヤレス信号を無効にするとともに、蛍光灯を長押操作前の点灯状態から反転させることができる。すなわち、ワイヤレス制御で意図せずに点灯してしまった蛍光灯を消灯することができる上、次に操作ハンドル１６が押操作されるまでワイヤレス制御が禁止されるので、安心して蛍光灯の交換作業を行うことができる。また、制御部３０が禁止モードになっている場合には、表示灯２５が点滅するので、ワイヤレス信号が無効になっていることが容易に視認される。
【００４４】
また、例えば、通常モードにおいて、人感センサの検知エリア外にいる作業者が蛍光灯の点灯状態を保持しておきたいにもかかわらず、検知エリア内にいた他人が検知エリア外に出たことで、給電路が閉状態となってしまうことがある。この場合には、作業者が操作ハンドル１６を長押操作することで、制御部３０が禁止モードに移行してワイヤレス信号を無効にするとともに、蛍光灯を長押操作前の点灯状態から反転させることができる。すなわち、ワイヤレス制御で意図せずに消灯してしまった蛍光灯を点灯することができる上、次に操作ハンドル１６が押操作されるまでワイヤレス制御が禁止されるので、作業者は希望の点灯状態の元で作業を行うことができる。
【００４５】
次に、スイッチ装置１１の動作タイミングについて図５に基づいて説明する。
始めに、通常モードにおいて照明負荷ＬがＯＦＦ状態、表示灯２５がＯＮ状態であるときに、操作ハンドル１６が短押操作される場合について説明する。
【００４６】
図５（ａ）に示すように、時刻ｔ１に操作ハンドル１６及び操作片２３を介して操作スイッチ２７の押操作が開始されると、操作スイッチ２７は操作信号の出力を開始する。すると、制御部３０は操作信号の出力開始時の切り替わりエッジを検出し、スイッチ要素の開閉状態を反転させるとともに、表示灯２５をＯＮ状態からＯＦＦ状態に切り換える。また、制御部３０は操作信号の出力時間、すなわち押操作時間Ｔｐをカウント（計時）し、所定間隔で規定時間Ｔｓと比較することで、押操作時間Ｔｐが規定時間Ｔｓを超過したか否かを判断する。
【００４７】
そして、時刻ｔｒ（ｔ１＜ｔｒ＜ｔ２）に操作スイッチ２７の押操作が解除されると、操作スイッチ２７は操作信号の出力を終了する。また、制御部３０は操作信号の出力終了時の切り替わりエッジを検出して、押操作時間Ｔｐのカウントを終了する。すると、カウント終了時の押操作時間Ｔｐは規定時間Ｔｓ未満であるので（Ｔｐ＜Ｔｓ）、制御部３０は操作ハンドル１６への押操作が短押操作であったと判定し、処理を終了する。これにより、消灯状態であった照明負荷Ｌは点灯状態に反転され、点灯状態であった表示灯２５は消灯状態となる。
【００４８】
一方、照明負荷ＬがＯＮ状態、表示灯２５がＯＦＦ状態であるときに同様に操作ハンドル１６が短押操作されると、照明負荷ＬがＯＦＦ状態、表示灯２５がＯＮ状態となる。
次に、通常モードにおいて照明負荷ＬがＯＦＦ状態、表示灯２５がＯＮ状態であるときに、操作ハンドル１６が長押操作される場合について説明する。
【００４９】
図５（ｂ）に示すように、時刻ｔ１に操作ハンドル１６及び操作片２３を介して操作スイッチ２７の押操作が開始されると、操作スイッチ２７は操作信号の出力を開始する。すると、制御部３０は操作信号の出力開始時の切り替わりエッジを検出し、スイッチ要素の開閉状態を反転させるとともに、表示灯２５をＯＮ状態からＯＦＦ状態に切り換える。また、制御部３０は押操作時間Ｔｐをカウントし、所定間隔で規定時間Ｔｓと比較することで、押操作時間Ｔｐが規定時間Ｔｓを超過したか否かを判断する。
【００５０】
そして、押操作時間Ｔｐが規定時間Ｔｓを超過すると（Ｔｐ≧Ｔｓ）、制御部３０は操作ハンドル１６への押操作が長押操作であると判定し、禁止モードに移行するとともに、表示灯２５を点滅させる。これにより、消灯状態であった照明負荷Ｌは点灯状態に反転され、表示灯２５は点滅状態となる。
【００５１】
次に、通常モードにおいて照明負荷ＬがＯＮ状態、表示灯２５がＯＦＦ状態であるときに、操作ハンドル１６が長押操作される場合について説明する。
図５（ｃ）に示すように、時刻ｔ１に操作ハンドル１６及び操作片２３を介して操作スイッチ２７の押操作が開始されると、操作スイッチ２７は操作信号の出力を開始する。すると、制御部３０は操作信号の出力開始時の切り替わりエッジを検出し、スイッチ要素の開閉状態を反転させるとともに、表示灯２５をＯＦＦ状態からＯＮ状態に切り換える。また、制御部３０は押操作時間Ｔｐをカウントし、所定間隔で規定時間Ｔｓと比較することで、押操作時間Ｔｐが規定時間Ｔｓを超過したか否かを判断する。
【００５２】
そして、押操作時間Ｔｐが規定時間Ｔｓを超過すると（Ｔｐ≧Ｔｓ）、制御部３０は操作ハンドル１６への押操作が長押操作であると判定し、禁止モードに移行するとともに、表示灯２５を点滅させる。これにより、点灯状態であった照明負荷Ｌは消灯状態に反転され、表示灯２５は点滅状態となる。
【００５３】
このように、通常モードにおいて、制御部３０が操作信号の出力開始時の切り替わりエッジを検出した時、すなわち操作部の押操作が開始された時にスイッチの開閉状態を反転させることで、短押操作である場合も長押操作である場合も、速やかに照明負荷Ｌの負荷制御を行うことができる。また、押操作時間Ｔｐが規定時間Ｔｓを超過した場合に通常モードから禁止モードに移行し、さらに禁止モードにおいて、操作部の押操作が開始された時に禁止モードから通常モードに移行するので、照明負荷Ｌの負荷制御を行うための操作ハンドル１６を操作することで、制御部３０の動作モードを速やかに制御することができる。
【００５４】
ここで、禁止モード移行時に、スイッチ要素の開閉状態を長押操作前の状態に保持しようとする場合、不要な開閉制御を回避するためには、長押操作であるか否かを見分けてから負荷制御を行う必要がある。そのため、短押操作に伴う負荷制御の際にも、短押操作であることを確認するために、短押操作を解除するまで負荷制御の実行を待つ必要がある。これに対して、本実施形態では、禁止モード移行時にスイッチ要素の開閉状態を反転させるので、短押操作の解除を待つことなく、速やかに負荷制御を行うことができる。
【００５５】
以上説明した本実施形態によれば、以下のような効果を得ることができる。
（１）スイッチ要素の開閉制御と制御部３０の禁止モードへの移行とを共通の操作部を介して行うことができるので、制御部３０の禁止モードへの移行のために専用の操作スイッチを備える必要がなく、簡易な構成でスイッチ装置１１を実現することができる。そして、操作ハンドル１６の長押操作によって、制御部３０の動作モードを通常モードからワイヤレス信号に基づいてはスイッチ要素の開閉制御を行わない禁止モードに移行するとともに、スイッチ要素の開閉状態を長押操作前の状態から反転させるので、ワイヤレス信号に基づく負荷制御を無効にするとともに、希望の負荷状態を設定することができる。
【００５６】
（２）第１モードでは、制御部３０が操作部の押操作が開始された時にスイッチ要素の開閉状態を反転させるので、スイッチ要素の開閉制御を速やかに行うことができる。また、押操作時間Ｔｐが規定時間Ｔｓを超過した場合に通常モードから禁止モードに移行するので、操作部が長押操作されたか否かを適切に判断した上で禁止モードに移行することができる。
【００５７】
（３）表示灯２５により、ワイヤレス信号に基づく負荷制御が無効になっていることを通知することができる。
（４）禁止モード時にワイヤレス信号に基づく負荷制御が無効になっていることを表示する表示灯２５を、通常モードにおいては開閉状態の開閉状態を表示するために使用することができる。
【００５８】
なお、上記実施形態は以下のように変更して実施することもできる。
・制御部３０は、通常モードにおいて、操作部の押操作が解除された時、すなわち操作信号の出力終了時の切り替わりエッジを検出した場合にスイッチ要素の開閉状態を反転させるようにしてもよい。これにより、操作部が長押操作されたか否かを適切に判断した後に、スイッチ要素の開閉状態を反転させることができる。
【００５９】
また、押操作が開始された時にスイッチ要素の開閉状態を反転させる場合、例えば照明負荷ＬがＯＮ状態のときに長押操作すると、長押操作の途中で照明負荷ＬがＯＦＦ状態となってしまい、ユーザーが操作しにくくなるという問題が生じうる。これに対して、押操作が解除された時に開閉状態を反転させる上記構成にすると、ユーザーが開閉状態を反転させるタイミングを任意に調整することができるので、こうした問題を回避することができる。
【００６０】
・制御部３０は、操作部の長押操作が解除された後、すなわち操作信号の出力終了時の切り替わりエッジを検出した場合に禁止モードに移行するようにしてもよい。これにより、操作部が長押操作されたか否かを適切に判断した後に、禁止モードに移行することができる。
【００６１】
・アナログ式の操作信号を出力する操作スイッチを採用し、操作スイッチの出力値が規定値以上となったか否かによって、押操作に伴う操作信号が出力されたか否かを判定するようにしてもよい。あるいは、デジタル式の操作信号を出力する操作スイッチを採用して、ＯＦＦ信号とＯＮ信号との切り替わりエッジを検出することで、押操作に伴う操作信号が出力されたか否かを判定するようにしてもよい。
【００６２】
・ワイヤレス信号は電波に限らず、光を媒体とするようにしてもよい。
・必ずしも表示灯２５を備えなくてもよい。
・ワイヤレス制御が無効になっていることを表示する表示手段を、照明負荷Ｌの点灯状態を表示する表示灯２５とは別途備えるようにしてもよい。
【００６３】
・表示灯の色や発光強度、点滅パターン等を変化させることで第１〜３表示状態を実現するようにしてもよい。
・表示手段は発光ダイオード以外の照明装置を用いた表示灯にしてもよいし、音で報知を行うブザーや、通知内容を文字情報やマークで表示する液晶パネル等として通知手段を実現してもよい。
【００６４】
・操作ハンドル１６を備えず、押圧部２３ｂを直接押操作するようにしてもよい。
【符号の説明】
【００６５】
ＡＣ…電源、Ｌ…負荷としての照明負荷、Ｔｐ…押操作時間、Ｔｓ…規定時間、１１…スイッチ装置、２５…通知手段及び表示手段としての表示灯、２７…操作スイッチ、３０…制御手段としての制御部、３１…制御手段としての負荷制御部、３２…受信手段としてのワイヤレス信号送受信部。 
【図１】
2011003470.tif 000003
【図２】
2011003470.tif 000004
【図３】
2011003470.tif 000005
【図４】
2011003470.tif 000006
【図５】
2011003470.tif 000007